(57)【特許請求の範囲】
【請求項１】
複数のサービスセンタから送信されるメッセージを受信可能な通信装置であって、
複数のサービスセンタから送信され、各サービスセンタに蓄積されているメッセージの有無を通知するメッセージ有り通知情報を受信する受信手段と、
前記受信手段が受信したメッセージ有り通知情報を記憶する記憶手段と、
前記記憶手段に記憶している前回のメッセージ有り通知情報と今回受信したメッセージ有り通知情報とを比較し、少なくとも１つのサービスセンタに対するメッセージ有り通知情報の内容がメッセージ無しからメッセージ有りに変化していれば通知する通知手段とを有し、
前記メッセージ有り通知情報は、サービスセンタに蓄積されているメッセージの有無を示すセンタ情報と、蓄積されたメッセージの種別ごとにメッセージの有無を示すメディア種別情報とからなり、
前記センタ情報の内容がメッセージ有りのまま変化しない場合、前記通知手段は、メディア種別情報を比較し、メディア種別情報の内容がメッセージ無しからメッセージ有りに変化していれば通知することを特徴とする通信装置。
【請求項２】
前記通知手段は、メッセージ有り通知情報の内容がメッセージ有りであれば必ず通知する制御に切り替え可能であることを特徴とする請求項１記載の通信装置。
【発明の詳細な説明】
【０００１】
【発明の属する技術分野】
本発明は、サービスセンタから送信されるメッセージを受信可能な通信装置に関する。
【０００２】
【従来の技術】
電話機などの通信装置を使ったサービスとして、各ユーザに対するメッセージをサービスセンタを経由して送信するメッセージサービスがある。このサービスに対応する電話機は、サービスセンタにメッセージが蓄積されたことを知らせるメッセージ有り通知情報を受信することが可能で、サービスセンタにメッセージが有ることを示す通知情報を受信すると、通知音によってユーザに通知する。通知音を出力するかしないかは、ユーザの設定により選択可能である。また、新たにサービスセンタからメッセージ有り通知情報が送信されるまで、記憶部に記憶された通知情報の表示を行い、「メッセージが蓄積されている」旨をユーザに知らせる。
【０００３】
メッセージ有り通知情報は、サービスセンタに新規メッセージが蓄積される度にメディア種別情報を付加して送信される。また、ユーザがサービスセンタに蓄積されているメッセージを受信した場合でも、別のセンタに蓄積されたメッセージが存在する場合、また別のメディア種別のメッセージが存在する場合は、メッセージ有り通知情報がサービスセンタから送信される。
【０００４】
【発明が解決しようとする課題】
ユーザがサービスセンタに蓄積されているメッセージを受信したにもかかわらず、別のセンタおよび別のメディア種別に蓄積メッセージが存在する場合、メッセージ有り通知情報が送信され、通知情報を受信した際に通知音が出力される。したがって、通知音が出力されただけでは、新規メッセージの蓄積に対するメッセージ有り通知情報を受信したのか、メッセージの受信などによる通知情報の内容変化に対するメッセージ有り通知情報を受信したのかが区別できない。
【０００５】
また、通知音に関する設定としては、出力するかしないかのどちらかに設定するしかなく、出力しない設定の場合は、新規メッセージが蓄積されたことを示す通知情報を受信しても通知音は出力されないので、ユーザは新規メッセージが蓄積されたことを知ることができない。
【０００６】
本発明の目的は、ユーザに対して新規メッセージが蓄積されたことを正確に通知することが可能な通信装置を提供することである。
【０００７】
【課題を解決するための手段】
本発明は、複数のサービスセンタから送信されるメッセージを受信可能な通信装置であって、
複数のサービスセンタから送信され、各サービスセンタに蓄積されているメッセージの有無を通知するメッセージ有り通知情報を受信する受信手段と、
前記受信手段が受信したメッセージ有り通知情報を記憶する記憶手段と、
前記記憶手段に記憶している前回のメッセージ有り通知情報と今回受信したメッセージ有り通知情報とを比較し、少なくとも１つのサービスセンタに対するメッセージ有り通知情報の内容がメッセージ無しからメッセージ有りに変化していれば通知する通知手段とを有し、
前記メッセージ有り通知情報は、サービスセンタに蓄積されているメッセージの有無を示すセンタ情報と、蓄積されたメッセージの種別ごとにメッセージの有無を示すメディア種別情報とからなり、
前記センタ情報の内容がメッセージ有りのまま変化しない場合、前記通知手段は、メディア種別情報を比較し、メディア種別情報の内容がメッセージ無しからメッセージ有りに変化していれば通知することを特徴とする通信装置である。
【０００８】
本発明に従えば、記憶手段に記憶している前回のメッセージ有り通知情報と今回受信したメッセージ有り通知情報とを比較し、少なくとも１つのサービスセンタに対するメッセージ有り通知情報の内容がメッセージ無しからメッセージ有りに変化していれば通知するので、新規メッセージが蓄積されたときのみ通知することが可能となり、ユーザに対してメッセージ有り通知情報を正確に通知することができる。
【００１０】
また、センタ情報の内容がメッセージ有りのまま変化しない場合、前記通知手段は、メディア種別情報を比較し、メディア種別情報の内容がメッセージ無しからメッセージ有りに変化していれば通知するので、より詳細に通知条件の設定を行うことが可能となる。
【００１１】
また本発明は、前記通知手段は、メッセージ有り通知情報の内容がメッセージ有りであれば必ず通知する制御に切り替え可能であることを特徴とする。
【００１２】
本発明に従えば、メッセージ有り通知情報の内容がメッセージ有りであれば必ず通知する制御に切り替えることが可能であるので、メッセージが有れば通知する従来の条件でも通知を行うことが可能となる。
【００１３】
【発明の実施の形態】
本発明の通信装置を電話装置に適用した場合における実施の形態について、図面を参照して説明する。
【００１４】
図１は、本発明の実施の一形態である電話機１の構成を示すブロック図である。電話機１は、通信装置であり、回線インターフェース２、ハンドセット３、フック検出回路４、着信信号検出回路５、スピーカ６、メッセージ有り通知情報受信回路７、極性反転検出回路８、メッセージ有り通知音出力回路９、主制御部１０、操作入力部１１、表示部１２およびメッセージ有り通知情報記憶部１３を含んで構成される。電話回線1４は、複数の電話通信業者が運営する回線網の中からダイヤル番号に応じて回線を選択する交換機に接続されており、ダイヤル相手の電話機に接続される。本発明では、電話回線１４を介してサービスセンタと接続される。回線インターフェース２は、電話回線１４の捕捉／開放制御を行うと共に捕捉した電話回線１４を介して接続される相手側電話機との通話経路を形成する。ハンドセット３は、回線インターフェース２によって通話接続された相手側電話機との通話を行うマイクとイヤピースとからなる。フック検出回路４は、ハンドセット３の載置／取上操作によるオンフック／オフフックを検出する。着信信号検出回路５は、電話回線１４から到来する着信信号を検出する。本発明では、サービスセンタから送信されるメッセージ有り通知情報の検出を行う。スピーカ６は、着信信号検出回路５による着信信号検出に基づいて着信音を出力する。
【００１５】
メッセージ有り通知情報受信回路７は、サービスセンタから送信され、サービスセンタに蓄積されているメッセージの有無を通知するメッセージ有り通知情報を電話回路1４および回線インターフェース２を介して受信する受信手段である。ここで、メッセージ有り通知情報は、各サービスセンタに蓄積されているメッセージの有無を示すセンタ情報と、蓄積されているメッセージの種別ごとにメッセージの有無を示すメディア種別情報とから構成されている。極性反転検出回路８は、回線インターフェース２によって捕捉された通信回線の極性の反転を検出する。
【００１６】
本発明の通知手段は、メッセージ有り通知音出力回路９と主制御部１０とからなり、メッセージ有り通知音出力回路９は、主制御部１０の判定結果をもとにスピーカ６へメッセージ有り通知音を出力する。主制御部１０は、マイクロコンピュータなどで構成され、操作入力部１１からの操作命令に応答するとともに所定のプログラムに従って全体の動作制御および演算を行う。また、内部レジスタには、操作入力部１１により設定されたメッセージ有り通知音設定ｆａ、メッセージ有り通知音出力条件ｆｂが格納されている。操作入力部１１は、ユーザが電話番号を入力するためのダイヤルキーおよび文字入力や各種設定操作を行うための操作スイッチなどで構成され、操作スイッチなどの組合せによって、メッセージ有り通知音設定ｆａ、メッセージ有り通知音出力条件ｆｂを設定することが可能となる。表示部１２は、操作メニュー、着信／発信履歴、メッセージ有り通知情報記憶部１３に記憶されているセンタ情報およびメディア種別情報の内容などを表示する。メッセージ有り通知情報記憶部１３は、サービスセンタから送信されたメッセージ有り通知情報を記憶する記憶手段である。
【００１７】
メッセージ有り通知情報受信回路７が、サービスセンタからメッセージ有り通知情報を受信すると、主制御部１０は、メッセージ有り通知情報記憶部１３に記憶している前回のメッセージ有り通知情報と今回受信したメッセージ有り通知情報とを比較し、メッセージ有り通知情報の内容がメッセージ無しからメッセージ有りに変化していればメッセージ有り通知音出力回路９からメッセージ有り通知音を出力する。これにより、メッセージ有り通知情報の内容がメッセージ無しからメッセージ有りに変化しているときだけ通知されるので、ユーザに対して新規メッセージが蓄積されたことを正確に通知することができる。
【００１８】
図２は、メッセージ有り通知音設定ｆａおよびメッセージ有り通知音出力条件ｆｂの設定画面を示す図である。ユーザは、操作入力部１１のスイッチなどを用いてメッセージ有り通知音設定ｆａ、メッセージ有り通知音出力条件ｆｂの設定を行うことができる。図２（ａ）は、メッセージ有り通知音設定画面であり、「１．設定」を選択するとメッセージ有り通知情報の内容に基づいて通知音の出力を行い、「２．解除」を選択するとメッセージ有り通知情報の内容にかかわらず通知音の出力は行わない。図２（ｂ）は、メッセージ有り通知音出力条件設定画面であり、メッセージ有り通知音設定において、「１．設定」を選択した場合のみ設定可能である。▲１▼を選択した場合、主制御部１０は、メッセージ有り通知情報のうちセンタ情報を参照し、センタ情報の内容がメッセージ無しからメッセージ有りに変化しているときに通知音を出力する。▲２▼を選択した場合、▲１▼の条件に加え、センタ情報がメッセージ有りのまま変化しないときは、メディア種別情報を参照し、メディア種別情報の内容がメッセージ無しからメッセージ有りに変化しているときに通知音を出力する。▲３▼を選択した場合、メッセージ有り通知情報を比較せず、メッセージ有り通知情報の内容がメッセージ有りであれば必ず通知音を出力する。
【００１９】
図３は、メッセージ有り通知情報の比較結果を示す図である。なお、センタは１〜５まで、メディア種別は１〜３まであり、また前回のメッセージ有り通知情報と今回受信したメッセージ有り通知情報とでメッセージ無しのまま変化しない場合は、説明を省略する。また、メディア種別としては音声、画像および文字などがある。
【００２０】
図３（ａ）は、図２（ｂ）で▲１▼を選択した場合の比較結果である。ケース１−１では、センタ２に関してはメッセージ有りのまま変化せず、センタ４に関してメッセージ無しからメッセージ有りに変化しているので通知音を出力する（鳴動）。ケース１−２では、センタ２に関してメッセージ有りからメッセージ無しに変化しているが、メッセージ無しからメッセージ有りに変化しているセンタは無いので通知音は出力しない（無鳴動）。ケース１−３では、センタ５に関してはメッセージ有りから無しに変化し、センタ４に関してメッセージ無しからメッセージ有りに変化しているので通知音を出力する。ケース１−４では、センタ４に関してはメッセージ有りのまま変化せず、メッセージ無しからメッセージ有りに変化しているセンタは無いので通知音は出力しない。
【００２１】
図３（ｂ）および（ｃ）は、図２（ｂ）で▲２▼を選択した場合の比較結果である。ケース２−１〜ケース２−３までは図３（ａ）のケース１−１〜ケース１−３までと同様である。ケース２−４では、メッセージ無しからメッセージ有りに変化しているセンタは無いが、センタ４に関してメッセージ有りのまま変化していないのでセンタ４のメディア種別情報を参照する。ケース２−４−１では、メディア１に関してメッセージ無しからメッセージ有りに変化しているので通知音を出力する。ケース２−４−２では、メディア２に関してはメッセージ有りのまま変化せず、メディア３に関してはメッセージ有りからメッセージ無しに変化しているが、メッセージ無しからメッセージ有りに変化しているメディアは無いので通知音は出力しない。ケース２−４−３では、メディア１に関してメッセージ無しからメッセージ有りに変化しているので通知音を出力する。
【００２２】
図３（ｄ）は、図２（ｂ）で▲３▼を選択した場合の比較結果である。このとき、前回のメッセージ有り情報と今回受信したメッセージ有り情報とは比較しない。ケース３−１では、メッセージ有りのセンタが無いので通知音は出力しない。ケース３−２では、センタ４がメッセージ有りであるので通知音を出力する。ケース３−３では、センタ４および５がメッセージ有りであるので通知音を出力する。
【００２３】
以上のように、メディア種別情報を参照することで、より詳細な条件で通知音の出力設定を行うことが可能となる。
【００２４】
図４は、電話機１による通知音出力処理を示すフローチャートである。まず、ステップｓ１では、電話回線１４および回線インターフェース２を介してサービスセンタから送信されてくるメッセージ有り通知情報を着信信号検出回路５により監視する。メッセージ有り通知情報を検出するまで待機し、メッセージ有り通知情報を検出した場合は、メッセージ有り通知受信回路７で受信してステップｓ２に進む。ステップｓ２では、主制御部１０がメッセージ有り通知音設定ｆａを参照し、メッセージ有り通知音設定が設定されている場合はステップｓ３に進み、メッセージ有り通知音設定が解除されている場合はステップｓ７に進む。ステップｓ３では、主制御部１０がメッセージ有り通知記憶部１３を参照し、前回のメッセージ有り通知情報が存在する場合はステップｓ４に進み、存在しない場合はステップｓ６に進む。ステップｓ４では、主制御部１０がメッセージ有り通知音出力条件ｆｂを参照し、今回受信したメッセージ有り通知情報とメッセージ有り通知情報記憶部１３に記憶されている前回のメッセージ有り通知情報との比較を行い、ステップｓ５に進む。
【００２５】
ステップｓ５では、ステップｓ４における比較結果により、メッセージ有り通知音よる通知を行う場合はステップｓ６に進み、メッセージ有り通知音による通知を行わない場合はステップｓ７に進む。ステップｓ６では、メッセージ有り通知音出力回路９がスピーカ６からメッセージ有り通知音を出力する。ステップｓ７では、受信したメッセージ有り通知情報をメッセージ有り通知情報記憶部１３に記憶し、通知音出力処理を終了する。
【００２６】
なお、本実施形態ではメッセージ無しからメッセージ有りに変化したときの通知方法を通知音の出力による方法としているが、これに限定されるものでなく、例えば、装置に備えられたＬＥＤ（発光ダイオード）の点灯、点滅および色の変化，表示部であるＬＣＤ（液晶ディスプレイ）の背景色、あるいはＬＣＤのバックライトの色など目視可能な通知方法、これらを併用する方法であってもよい。
【００２７】
【発明の効果】
以上のように本発明によれば、新規メッセージが蓄積されたときのみ通知することが可能となり、ユーザに対してメッセージ有り通知情報を正確に通知することができる。
【００２８】
また本発明によれば、より詳細に通知条件の設定を行うことが可能となる。
また本発明によれば、メッセージが有れば通知する従来の条件でも通知を行うことが可能となる。
【図面の簡単な説明】
【図１】本発明の実施の一形態である電話機１の構成を示すブロック図である。
【図２】メッセージ有り通知音設定ｆａおよびメッセージ有り通知音出力条件ｆｂの設定画面を示す図である。
【図３】メッセージ有り通知情報の比較結果を示す図である。
【図４】電話機１による通知音出力処理を示すフローチャートである。
【符号の説明】
１  電話機
２  回線インターフェース
３  ハンドセット
４  フック検出回路
５  着信信号検出回路
６  スピーカ
７  メッセージ有り通知情報受信回路
８  極性反転検出回路
９  メッセージ有り通知音出力回路
１０  主制御部
１１  操作入力部
１２  表示部
１３  メッセージ有り通知情報記憶部
１４  電話回線
【図１】
0004116276.tif 000002
【図２】
0004116276.tif 000003
【図３】
0004116276.tif 000004
【図４】
0004116276.tif 000005